(57)【要約】
【課題】主婦や高齢者などにも簡単にメンテナンスをすることができ、様々な天井高さにも適用することができる。
【解決手段】照明灯を保持する枠体２を天井面などの固定部１から昇降可能とする照明器具において、枠体２の昇降を操作する操作ロープ５と、この操作ロープ５の移動を制御するストッパー３と、枠体２を固定部１に係止するためのフック機構７，６０とを備え、操作ロープ５を操作することによって、フック機構７，６０を係合・解除すると共に、ストッパー３を介して枠体２の昇降を制御する。
【選択図】図２
0003100816.tif 000002
【実用新案登録請求の範囲】
【請求項１】
照明灯を保持する枠体を天井面などの固定部から昇降可能とする照明器具において、枠体（２）の昇降を操作する操作ロープ（５）と、この操作ロープの移動を制御するストッパー（３）と、前記枠体を固定部（１）に係止するためのフック機構（７）（６０）とを備え、前記操作ロープを操作することによって、前記フック機構を係合・解除すると共に、前記ストッパーを介して枠体の昇降を制御することを特徴とする昇降式照明器具。
【請求項２】
前記固定部に回転アーム（６）が設けられており、この回転アームに連結した回転用紐（８３）を前記操作ロープを介して操作することにより、前記回転アームを回転して前記フック機構の係合・解除を行うことを特徴とする請求項１に記載の昇降式照明器具。
【請求項３】
前記ストッパーの本体部（３０）に切り欠き部（３１）が設けられており、前記操作ロープ（５）に設けた複数のコブ部（５１）を前記切り欠き部に係合・解除することによって、前記操作ロープの移動を制御することを特徴とする請求項１又は２に記載の昇降式照明器具。
【請求項４】
前記操作ロープ（５）の一端が前記固定部に連結され、他端が前記固定部に設けた滑車（４）を介して枠体（２）に連結されていることを特徴とする請求項１から３のいずれかに記載の昇降式照明器具。
【請求項５】
前記操作ロープ（５）の一端が前記固定部に連結され、他端が前記固定部に設けた回転シャフト（２１）に連結され、更にこの回転シャフトに連結する吊下げ紐（２２）が枠体を保持しており、前記操作ロープの操作によって前記回転シャフトを回転し、前記吊下げ紐（２２）を介して枠体を昇降することを特徴とする請求項１から３のいずれかに記載の昇降式照明器具。
【考案の詳細な説明】
【技術分野】
【０００１】
本考案は、室内の天井面などに設ける昇降式の照明器具に関する。
【背景技術】
【０００２】
周知の通り、蛍光灯などの照明器具は、天井面などの比較的高い位置に固着されている。そのため、照明灯の取り替えや清掃などのメンテナンスは、椅子や作業台などに載って行っていた。従って、作業者は、限られた狭い範囲内でしか足場を確保することができないので、特に、女性や高齢者、或いは足の不自由な者などが作業を行う際には、転落するなどの危険性が大であった。又、照明器具が、作業台のスペースよりも大きい場合、作業台を移動しなければ全体に手が届かず、いちいち作業台の位置をずらしながら作業をしなければならず、非常に煩わしいという問題もあった。
【０００３】
そのため、メンテナンス時に照明器具本体を降ろすことのできる昇降式の照明器具が種々開発され、提供されている。しかし、現在提供されている昇降式照明器具は、複雑な構造であったり電力を有するものであるため、販売値段が高かったり、昇降用の電気代が必要であるなど、一般家庭で手軽に利用することができず、高所得者など利用者が限られるという問題があった。又、構造が簡単な昇降式の照明器具であっても、適用可能な天井高さの範囲が決まっており、天井面が非常に高い場所には使用することができないなどの問題もあった。
【考案の開示】
【考案が解決しようとする課題】
【０００４】
本考案は、主婦や高齢者などにも簡単にメンテナンスをすることができ、様々な天井高さにも適用することができる昇降式照明器具を提供する。
【課題を解決するための手段】
【０００５】
本発明の昇降式照明器具は、照明灯を保持する枠体を天井面などの固定部から昇降可能とする照明器具において、枠体の昇降を操作する操作ロープと、この操作ロープの移動を制御するストッパーと、枠体を固定部に係止するためのフック機構とを備えており、操作ロープを操作することによって、フック機構を係合・解除すると共に、ストッパーを介して枠体の昇降を制御することを特徴とする昇降式照明器具。
【０００６】
好ましくは、前記固定部に回転アームが設けられており、この回転アームに連結した回転用紐を操作ロープを介して操作することにより、回転アームを回転してフック機構の係合・解除を行うことを特徴とする。
【０００７】
更に好ましくは、前記ストッパーの本体部に切り欠き部が設けられており、操作ロープに設けた複数のコブ部を切り欠き部に係合・解除することによって、操作ロープの移動を制御することを特徴とする。
【０００８】
又、前記操作ロープの一端が固定部に連結され、他端が固定部に設けた滑車を介して枠体に連結されていることを特徴としても良い。
【０００９】
更に又、前記操作ロープの一端が固定部に連結され、他端が固定部に設けた回転シャフトに連結され、更にこの回転シャフトに連結する吊下げ紐が枠体を保持しており、操作ロープの操作によって回転シャフトを回転し、吊下げ紐を介して枠体を昇降することを特徴としても良い。
【考案の効果】
【００１０】
本考案の照明器具は、天井に固定した枠体からロープを吊り下げ、これを操作するだけで照明器具本体の天井ロックが解除され、作業者の手の届く位置まで降ろすことができるので、蛍光灯を取り替えたりメンテナンスをする際にも、作業台や椅子などに載る必要がなく、一人で安全に作業を行うことができる。又、照明器具本体を所望の高さで停止することができるので、作業者の身長に拘泥されることなく使用することもできる。更に、天井までの高さに応じてロープの長さを調整するだけで、非常に高い天井であっても簡単に適用することができるので、適用範囲が非常に広い。そして、この照明器具は、簡単な構造であるので生産コストが低廉であり、昇降用の電力も不要であるので余分な電気代が要らず、一般家庭でも手軽に利用することができる。更に、枠体の落下を防止する手段として、固定時では、フック機構、切り欠きストッパー、及び固定部に設けた挿通口の切込みの３箇所で、作業時では、切り欠きストッパー及び挿通口の切込みの２箇所でロックしているので、極めて安全性が高い。
【考案を実施するための最良の形態】
【００１１】
以下、添付図面に基づき本考案の実施例について詳細に説明する。
【００１２】
図１及び２は、本考案の照明器具の第１の実施例を示す説明図であり、図１は、昇降枠体を天井面に固定した状態、図２は、天井面から降下した状態を示す斜視図である。各図において、１は天井面などに固着した固定枠体であり、２は蛍光灯などの照明灯を有する昇降枠体であり、常時では、昇降枠体２はこの固定枠体１に固定されている。そして、照明灯を取り替えたり清掃したりするメンテナンス時には、昇降枠体２が固定枠体１から解除され、昇降するように構成されている。なお、図１は、固定枠体１を下方から眺めた斜視図であり、昇降枠体２を省略している。
【００１３】
図１及び２に示す如く、固定枠体１内には、一対の回転アーム６，６’が設けられており、この回転アーム６，６’の両側にはコの字状の係止部６０，６０’を有している。そして、昇降枠体２に設けたフック片７，７’と、係止部６０，６０’とによってフック機構が構成されており、係止部６０，６０’が垂下した状態で、フック片７，７’が係合されることによって、昇降枠体２が固定枠体１に固定される。
【００１４】
５は操作ロープであって、このロープ５の一端側５ａが固定枠体１に、他端側５ｂが昇降枠体２に連結されており、このロープ５によって昇降枠体２を保持し、このロープ５を操作することによって昇降枠体２を昇降する。尚、本実施例では、ロープ５の他端側５ｂを２つに枝分かれし、夫々の端部を昇降枠体２の両側に連結することにより、昇降枠体２を昇降する際の安定化を図っている。そのため、ロープ５の他端側５ｂを、４〜６つに枝分かれさせ、夫々を等間隔に昇降枠体２に連結することにより、更に安定化を図ることができる。
【００１５】
又、このロープ５の一端側５ａは、固定枠体１に設けた収納ケース５０内の巻取り器（図示略）に巻き付けられている。この巻取り器はコイルバネによって、常にロープ５を巻き取る方向に付勢しているので、余分なロープ５は絡まることなくケース５０に収納される。そして、このロープ５は、固定枠体１に設けたストッパー３及び滑車４を通じており、更に、所定間隔（約５ｃｍ）毎にコブ部５１，・・・を設けることにより、昇降枠体２の移動をロックしながら徐々に昇降することができるように構成されている。
【００１６】
図３は、昇降枠体をロックする機構を示す説明図である。図３のＡ及びＣは、ロック機構を示す側面図であり、右側がロープ５の一端側５ａ、左側がロープ５の他端側５ｂを示す。そして、図３のＢは、Ａに対応する正面図であり、ＣはＤに対応する正面図である。ロープ５の他端側５ｂは、昇降枠体２に連結されているので、常時では、この昇降枠体２の自重によって、ロープ５は図３のＡに示す左側に引っ張られている。そして、ストッパー３は、下部に山形状の切り欠き部３１を有するストッパー本体部３０を備えており、この切り欠き部３１内にロープ５が通じている。更に、ストッパー本体部３０には、コの字状のレバー３２が枢支連結されており、バネ（図示略）によってレバー３２が図３の反時計方向に付勢され、このレバー３２に設けた押上げ部３４がロープ５を上方向に押し上げている。それによって、ロープ５のコブ部５１が、切り欠き部３１に係合し、ロープ５のスライド移動を止め、昇降枠体２の落下を防止している（図３のＡ及びＢ参照）。そして、ロープ５を図３Ｃの右側（矢印方向）引っ張ることにより、ロープ５は直線状に傾斜するので、コブ部５１の位置は切り欠き部３１から解除し、ロープ５のスライド移動が可能となる（図３のＤ参照）。
【００１７】
次に、昇降枠体２を昇降する手順を説明すると共に、更に詳細に本実施例の構造について説明する。前記の通り、フック機構７，７’，６０，６０’によって、昇降枠体２は固定枠体１に係止しているので、先ず、この係合を解除する。図４は、固定枠体を示す側面図である。ロープ５は、一端側５ａがケース５０内に収納されており、このケース５０から固定枠体１の外にのびて折り返され、固定枠体１内に通じている。昇降枠体２を昇降しない時は、ロープ５をケース５０に収納しており（図４のＡ参照）、昇降枠体２を昇降する際には、長尺な引掛け棒（図示略）を用いてロープ５をケース５０から引っ張り出し、作業者の手の届く位置まで降ろす（図４のＢ参照）。その際、前記した通り、巻取り器によってロープ５は、常時、ケース５０内に引っ張られている。
【００１８】
ここで、この実施例では、ロープ５は、太いロープ５’と細いロープ５’’とを継いで形成されており、太いロープ５’は昇降枠体２に、細いロープ５’’は固定枠体１に設けたケース５０の巻取り器に連結している。ロープ５は、太いロープ５’のみで形成されていても良いが、細いロープ５’’は、ロープ５を作業者の手元まで降ろすためのものなので、弱い強度でよく、又、ケース５０への収納をコンパクト化することもできる。
【００１９】
細いロープ５’’の通じる固定枠体１の挿通孔１０’’には切込み１０ｂが設けられており、ロープ５を手の届く位置まで引っ張った後、この切込み１０ｂにロープ５’’のコブ部５１を引っ掛けることにより、ロープ５がケース５０内に巻き取られることを防止する。そして、太いロープ５’を引っ張ることにより昇降枠体２を若干上げ、フック片７，７’と掛止部６０，６０’との係合を解除し、それによって、昇降枠体２を昇降可能にする。以下、図１及び２に基づいて、この機構について詳細に説明する。固定枠体１には、周知技術のロッド伸縮器８が設けられている。このロッド伸縮器８は、プッシュロッド８１の押圧操作により、ヘッドロッド８０の出し入れが可能なものであり、回転用紐８３，８３’の一端側がヘッドロッド８０に、他端側が回転アーム６，６’に取り付けられている。なお、ヘッドロッド８０が出し入れによって回転する場合、回転用紐８３，８３’が捻れるので、空回りするキャップを介して回転用紐８３，８３’を取り付けて捻れを防止する。
【００２０】
昇降枠体２にはプッシャー８２が設けられており、前記した通り、昇降枠体２を若干上げることにより、プッシャー８２がプッシュロッド８１を押し、ヘッドロッド８０が突出する。それによって、回転ロープ８３，８３’がヘッドロッド８０の方に引っ張られ、回転アーム６，６’が約９０度回転すると共に、係止部６０，６０’が回転するので、フック片７，７’と係止部６０，６０’との係合が解除される（図２参照）。そして、前記した通り、ロープ５を引っ張ることにより、ロープ５のスライド移動が可能となるので（図３のＣ及びＤ参照）、ロープ５を引っ張りながら力を緩めることにより、昇降枠体２が自重で降下する。
【００２１】
昇降枠体２を作業者の手の届く位置まで降ろした後、ロープ５から手を離すことにより、ロープ５がストッパー３のレバー３２によってロックされるので（図３のＡ及びＢ参照）、昇降枠体２が停止する。そして、安全のため、太いロープ５’のコブ部５１を、固定枠体１の挿通孔１０’の切込み１０ｂに引っ掛けて（図４のＢ参照）、ロープ５の移動をロックし、昇降枠体２の落下を防止する。この状態で、作業者は昇降枠体２の照明灯のメンテナンスを手元で行うことができる。又照明灯の電線９は、カーリー状であって固定枠体１に設けた収納管９０に通じているので、昇降枠体２を昇降しても絡まることがない。
【００２２】
次に、昇降枠体２を上昇して、固定枠体１に固定する手順について説明する。先ず、挿通孔１０’の切込み１０ｂに引っ掛けたロープ５を解除して、その後、ロープ５を引っ張ることにより、ストッパー３の係合を解除すると共に昇降枠体２を持ち上げながら上昇する。そして、昇降枠体２を上昇し続けてプッシャー８２を、固定枠体１に設けたロッド伸縮器８のプッシュロッド８１に押しつけ、それによって、ヘッドロッド８０を縮める。ヘッドロッド８０を縮めることにより、回転用紐８３のヘッドロッド８０の方へ引っ張る力が解除されるので、回転アーム６，６’に取り付けたスプリング６１の付勢力によって約９０度逆に回転し、係止部６０，６０’が昇降枠体２のフック片７，７’に係合され、昇降枠体２が固定枠体１に固定される。そして、細いロープ５’’を挿通孔１０’’の切込み１０ｂから解除することによって、ロープ５が巻取り器によってケース５０内に巻き取られる。
【００２３】
図５は、第２の実施例の説明図である。この例の照明器具は、昇降枠体２に第２の滑車２０が設けられており、これが第１の実施例と異なる点である。そして、ロープ５は、固定枠体１の滑車４を通じて、第２の滑車２０を介して折り返され、固定枠体１に連結されている。更に、第２の滑車２０には、ロープ５が離脱しないようリング２０ａが設けられている。このように、ロープ５は固定枠体１に２点支持されているので、昇降枠体２を安定した状態で軽く（２分の１の力）昇降することができる。又、昇降枠体２に２つの滑車を設けても良く、これらを介してロープ５を固定枠体１と昇降枠体２とに連結することにより、更に安定した状態で昇降枠体２を昇降することができる。
【００２４】
図６は、第３の実施例の説明図である。この実施例では、前記の滑車４の代わりに回転シャフト２１が固定枠体１に設けられており、更に、昇降枠体２の両側に一対の滑車２０，２０’が設けられている。この回転シャフト２１の両側に吊下げ紐２２，２２’が取り付けられており、この吊下げ紐２２，２２’は前記の滑車２０，２０’を介して固定枠体１に連結されている。そして、回転シャフト２１の中央にはロープ５が連結されている。昇降枠体２が固定枠体１に固定している状態では、シャフト２１に、ロープ５が巻き付けられておらず、吊下げ紐２２，２２’が巻き付けられている。昇降枠体２が降下することによってシャフト２１が回転し、それに伴って、吊下げ紐２２が引き出されると共にシャフト２１にロープ５が巻き付けられる。そして、この巻き付けられたロープ５を引っ張ることによってシャフト２１が逆回転し、吊下げ紐２２，２２’が巻き付けられ、昇降枠体２が上昇する。この実施例によれば、昇降枠体２を昇降するための吊下げ紐２２，２２’が４つの滑車２０，２０’によって支持されているので、非常に安定した状態で軽く（２分の１の力）昇降枠体２を昇降することができる。
【図面の簡単な説明】
【００２５】
【図１】第１の実施例を示す斜視図。
【図２】第１の実施例を示す斜視図。
【図３】ロック機構を示す説明図。
【図４】固定枠体を示す側面図。
【図５】第２の実施例を示す斜視図。
【図６】第３の実施例を示す斜視図。
【符号の説明】
【００２６】
１  固定枠体
２  昇降枠体
３  ストッパー
４  滑車
５  操作ロープ
６  回転アーム
７  フック片
８  ロッド伸縮器
９  電線
２１  回転シャフト
２２  吊下げ紐
５１  コブ部
６０  係止部
３０  ストッパー本体部
３１  切り欠き部
８３  回転用紐
【図１】
0003100816.tif 000003
【図２】
0003100816.tif 000004
【図３】
0003100816.tif 000005
【図４】
0003100816.tif 000006
【図５】
0003100816.tif 000007
【図６】
0003100816.tif 000008
【手続補正書】
【提出日】平成15年10月6日(2003.10.6)
【手続補正１】
【補正対象書類名】明細書
【補正対象項目名】００１０
【補正方法】変更
【補正の内容】
【００１０】
本考案の照明器具は、天井に固定した枠体からロープを吊り下げ、これを操作するだけで照明器具本体の天井ロックが解除され、作業者の手の届く位置まで降ろすことができるので、蛍光灯を取り替えたりメンテナンスをする際にも、作業台や椅子などに載る必要がなく、一人で安全に作業を行うことができる。又、照明器具本体を所望の高さで停止することができるので、作業者の身長に拘泥されることなく使用することもできる。更に、天井までの高さに応じてロープの長さを調整するだけで、非常に高い天井であっても簡単に適用することができるので、適用範囲が非常に広い。そして、この照明器具は、簡単な構造であるので生産コストが低廉であり、昇降用の電力も不要であるので余分な電気代が要らず、一般家庭でも手軽に利用することができる。更に、枠体の昇降時に、不意に操作ロープから手が離れても、切り欠きストッパーによるロックで急な降下を防止でき、そして、天井固定時では、フック機構、切り欠きストッパー、及び固定部に設けた挿通口の切込みの３箇所で、作業時では、切り欠きストッパー及び挿通口の切込みの２箇所でロックして枠体の落下を防止しているので、極めて安全性が高い。